(57)【要約】【課題】通常発光のための構成を煩雑化させずに、緊急発光時に電池の負荷を低減しつつ必要な発光特性を確保できる照明装置を提供する。【解決手段】照明装置１０Ａは、外部の商用電源２０から電力を供給される給電部１１と、電池１５と、商用電源２０の停電を検知する停電検知部１４と、ＬＥＤモジュール１３１、及び、ＬＥＤモジュール１３１よりも発光効率の高いＬＥＤモジュール１３２する発光部１３Ａと、停電検知部１４が停電を検知していない場合に、給電部１１からの電力供給により少なくともＬＥＤモジュール１３１を発光させ、停電検知部１４が停電を検知した場合に、ＬＥＤモジュール１３１を消光させ、かつ、ＬＥＤモジュール１３２を電池１５からの電力供給により発光させる点灯制御部１２Ａとを備える。【選択図】図２
2016219389.tif 000002
【特許請求の範囲】
【請求項１】
外部電源から電力を供給される給電部と、
電池と、
前記外部電源の停電を検知する停電検知部と、
第１発光部、及び、当該第１発光部よりも発光効率の高い第２発光部を有する発光部と、
前記停電検知部が前記停電を検知していない場合に、前記給電部からの電力供給により少なくとも前記第１発光部を発光させ、前記停電検知部が前記停電を検知した場合に、前記第１発光部を消光させ、かつ、前記電池からの電力供給により前記第２発光部を発光させる点灯制御部とを備える
照明装置。
【請求項２】
前記点灯制御部は、前記停電検知部が前記停電を検知していない場合に、前記給電部からの電力供給により前記第１発光部を発光させ、かつ、前記第２発光部を消光させる
請求項１に記載の照明装置。
【請求項３】
前記第１発光部は、直列に接続された複数の第１発光素子、及び、直列に接続された１以上の第２発光素子を有し、
前記１以上の第２発光素子の直列接続数は、前記複数の第１発光素子の直列接続数より少ない
請求項２に記載の照明装置。
【請求項４】
前記点灯制御部は、前記停電検知部が前記停電を検知していない場合に、前記給電部からの電力供給により前記第１発光部及び前記第２発光部を発光させる
請求項１に記載の照明装置。
【請求項５】
前記第２発光部の発光色は、前記第１発光部の発光色と異なる
請求項１〜４のいずれか１項に記載の照明装置。
【請求項６】
前記第２発光部の色温度は、前記第１発光部の色温度よりも高い
請求項１〜５のいずれか１項に記載の照明装置。
【請求項７】
前記第２発光部の平均演色評価数は、前記第１発光部の平均演色評価数よりも小さい
請求項１〜６のいずれか１項に記載の照明装置。
【請求項８】
さらに、
前記電池を収納する筒状の本体ケースと、
前記本体ケースの前面開口部に設けられた前面カバーとを備え、
前記第１発光部及び前記第２発光部は、前記前面開口部付近に設けられ、
前記給電部は、本体ケースの後端開口部に設けられ、
前記前面カバーは、
前記第１発光部及び前記第２発光部から出射された光を前記本体ケースの前方側に出射させるための透光性の前面部と、
前記第１発光部及び前記第２発光部から出射された光を前記本体ケースの側方側に出射させるための透光性の側面部とを有する
請求項１〜７のいずれか１項に記載の照明装置。
【請求項９】
さらに、
前記電池を収納する本体ケースと、
前記本体ケースの前面開口部を覆うように、前記本体ケースに対して着脱可能に設けられた分光カットフィルタとを備え、
前記第１発光部及び前記第２発光部は、前記前面開口部付近に設けられ、
前記給電部は、本体ケースの後端開口部に設けられ、
点灯制御部は、前記停電検知部が前記停電を検知した場合に、前記分光カットフィルタが取り外された状態で、前記第１発光部を消光させ、かつ、前記第２発光部を前記電池からの電力供給により発光させる
請求項１〜７のいずれか１項に記載の照明装置。
【請求項１０】
さらに、
前記分光カットフィルタと前記本体ケースとの間に、前記本体ケースの前面開口部を覆うように設けられた透光性カバーを備え、
前記分光カットフィルタは、前記透光性カバーに対して着脱可能に設けられる
請求項９に記載の照明装置。
【請求項１１】
前記照明装置は、さらに、
煙を検知する煙センサを備え、
前記点灯制御部は、前記煙センサによって煙が検知された場合に、前記発光部を点灯させる
請求項１〜１０のいずれか１項に記載の照明装置。
【請求項１２】
前記照明装置は、さらに、
揺れを検知する振動センサを備え、
前記点灯制御部は、前記振動センサによって揺れが検知された場合に、前記発光部を点灯させる
請求項１〜１１のいずれか１項に記載の照明装置。
【請求項１３】
前記煙センサまたは前記振動センサは、
前記電池から供給される電力に基づいて、検知可能な状態で待機する
請求項１１または１２に記載の照明装置。
【発明の詳細な説明】
【技術分野】
【０００１】
本発明は、照明装置に関する。
【背景技術】
【０００２】
一般の照明用光源として用いられるとともに、緊急用照明または携帯照明として使用可能な照明用光源が開示されている（例えば、特許文献１を参照）。特許文献１に開示された照明用光源は、バッテリーを内蔵しており、緊急用照明または携帯照明として用いられる際には、バッテリーが供給する電力により発光する。
【先行技術文献】
【特許文献】
【０００３】
【特許文献１】特開２０１２−２４８５３０号公報
【発明の概要】
【発明が解決しようとする課題】
【０００４】
しかしながら、照明用光源内に収納されるバッテリーは、一般的に、外部商用電源に比べて低電力であり電力供給期間も短い。よって、緊急時での安全性確保及び異常通報のための照明用光源の発光特性を確保するには、電力供給用の電源を商用電源から上記バッテリーに切り替えるだけでは不十分である。
【０００５】
そこで本発明は、通常発光のための構成を煩雑化させずに、緊急発光時に電池の負荷を低減しつつ必要な発光特性を確保できる照明装置を提供することを目的とする。
【課題を解決するための手段】
【０００６】
上記目的を達成するために、本発明に係る照明装置の一態様は、外部電源から電力を供給される給電部と、電池と、前記外部電源の停電を検知する停電検知部と、第１発光部、及び、当該第１発光部よりも発光効率の高い第２発光部を有する発光部と、前記停電検知部が前記停電を検知していない場合に、前記給電部からの電力供給により少なくとも前記第１発光部を発光させ、前記停電検知部が前記停電を検知した場合に、前記第１発光部を消光させ、かつ、前記電池からの電力供給により前記第２発光部を発光させる点灯制御部とを備える。
【発明の効果】
【０００７】
本発明によれば、通常発光のための構成を煩雑化させずに、緊急発光時に電池の負荷を低減しつつ必要な発光特性が確保された照明装置を提供することができる。
【図面の簡単な説明】
【０００８】
【図１】実施の形態１に係る照明装置の機能を示す概略ブロック図である。
【図２】実施の形態１に係る照明装置の機能を示す具体的なブロック図である。
【図３】２種類の比視感度曲線を表すグラフである。
【図４Ａ】実施の形態１に係る照明装置の構成の第一例を示す外観図である。
【図４Ｂ】実施の形態１に係る照明装置の構成の第二例を示す外観図である。
【図５】ＬＥＤ素子の平均演色評価数Ｒａと光束との関係を表すグラフである。
【図６】実施の形態１の変形例１に係る照明装置の外観図である。
【図７Ａ】実施の形態１の変形例２に係る照明装置の外観図である。
【図７Ｂ】実施の形態１の変形例２に係る照明装置の外観図である。
【図７Ｃ】実施の形態１の変形例２に係る照明装置の外観図である。
【図８】実施の形態２に係る照明装置の機能を示す具体的なブロック図である。
【図９】実施の形態２に係る照明装置の構成の一例を示す外観図である。
【図１０】実施の形態２の変形例に係る照明装置の構成の一例を示す外観図である。
【図１１】実施の形態２の変形例に係る照明装置の分光特性を表すグラフである。
【発明を実施するための形態】
【０００９】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、工程（ステップ）、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態１）
［１．照明装置の機能構成］
まず、実施の形態１に係る照明装置の基本構成について図面を用いて説明する。
【００１２】
図１は、実施の形態１に係る照明装置１０の機能を示す概略ブロック図である。同図に示された照明装置１０は、給電部１１と、点灯制御部１２と、発光部１３と、停電検知部１４と、電池１５とを備える。
【００１３】
給電部１１は、照明装置１０の外部から電力を供給される。給電部１１は点灯制御部１２に接続されており、外部から供給された電力を点灯制御部１２に伝達する。給電部１１は、例えば、ＡＣ１００Ｖの交流電力を供給する商用電源２０に接続されている。また、給電部１１は、例えば、ＬＥＤランプの口金が例示されるが、引っ掛けシーリング、または、コンセントの差込プラグであってもよい。
【００１４】
電池１５は、照明装置１０を点灯させるための電力を点灯制御部１２及び発光部１３に供給する電池である。電池１５は、一次電池であってもよいし二次電池であってもよい。二次電池である場合は、電池１５は、例えば、給電部１１から電力の供給を受けて充電される。
【００１５】
点灯制御部１２は、発光部１３を点灯させるための電源回路である。点灯制御部１２は、給電部１１、停電検知部１４、発光部１３及び電池１５に接続されており、給電部１１または電池１５から供給された電力を必要に応じて発光部１３が点灯するのに必要な電力に変換して、発光部１３に供給する。
【００１６】
点灯制御部１２は、例えば、給電部１１から供給されるＡＣ１００Ｖの交流電力を、所定の電圧の直流電力に変換（ＡＣ−ＤＣ変換）して発光部１３に供給する。また、点灯制御部１２は、例えば、電池１５から供給される直流電力を、所定の電圧の直流電力に変換（ＤＣ−ＤＣ変換）して発光部１３に供給する。なお、点灯制御部１２は、給電部１１が外部の商用電源２０から電力の供給を受けているとき、つまり通電状態においては給電部１１から供給される電力を用いる。一方、給電部１１が商用電源２０から電力の供給を受けていないとき、つまり停電状態においては電池１５から供給される電力を用いて、発光部１３を発光させてもよい。
【００１７】
点灯制御部１２は、より具体的には、回路基板上に容量素子、抵抗素子、整流回路素子、コイル素子、チョークコイル、ノイズフィルタ、ダイオードまたは集積回路素子等の半導体素子等が実装されたもの（不図示）であり、発光部１３に電力を供給する際には熱を発する。なお、点灯制御部１２が発する熱は、後述する発光部１３が発生する熱より小さい。
【００１８】
発光部１３は、点灯制御部１２に電気的に接続されており、点灯制御部１２から供給される電力により発光する。発光部１３は、例えば、複数のＬＥＤ素子を有するＬＥＤ（Ｌｉｇｈｔ  Ｅｍｉｔｔｉｎｇ  Ｄｉｏｄｅ）モジュールで構成される。ＬＥＤ素子は、例えば、表面実装（ＳＭＤ：Ｓｕｒｆａｃｅ  Ｍｏｕｎｔ  Ｄｅｖｉｃｅ）型ＬＥＤ素子で構成される。なお、ＬＥＤ素子は、ＳＭＤ型ＬＥＤ素子でなくてもよく、基体に実装されたＬＥＤチップであってもよい。また、発光部は、複数のＬＥＤ素子で構成されている他、有機ＥＬ（Ｅｌｅｃｔｒｏ  Ｌｕｍｉｎｅｓｃｅｎｃｅ）素子など他の固体発光素子で構成されていてもよい。
【００１９】
本実施の形態に係る発光部１３は、第１発光部、及び、当該第１発光部よりも発光効率（ｌｍ／Ｗ）の高い第２発光部を有する。第１発光部及び第２発光部は、例えば、ＬＥＤ素子からなるＬＥＤモジュールであり、点灯制御部１２から供給される直流電力により、所定の分光分布からなる、白色などの所定の色の光を放出することで発光する。
【００２０】
停電検知部１４は、給電部１１に接続され、商用電源２０などの外部電源が停電しているか否かを検知する。停電検知部１４は、上記停電を検知した場合に、点灯制御部１２に停電検知信号を出力する。
【００２１】
点灯制御部１２は、停電検知部１４からの停電検知信号を受けた場合、第１発光部を消光させ、かつ、第２発光部を電池１５からの電力供給により発光させる。
【００２２】
照明用光源内に収納される電池は、一般的に、商用電源に比べて低電力であり電力供給が可能な期間が限られる。さらに、上述したように、点灯制御部１２及び発光部１３が発生する熱により照明装置内の温度が上昇することで、電池の出力性能が低下することが想定される。よって、緊急時に、電力供給用の電源を商用電源２０から電池１５に切り替えるだけでは、緊急時での安全性確保及び異常通報のための十分な発光性能を確保できない。
【００２３】
これに対して、本実施の形態に係る照明装置１０では、停電検知部１４が停電を検知した場合、第１発光部を消光させ、かつ、当該第１発光部よりも発光効率の高い第２発光部を電池１５からの電力供給により発光させる。
【００２４】
これにより、緊急時に商用電源２０から電池１５へ電源が切り替わっても、電池の負荷を低減しつつ安全性確保及び異常通報に必要な発光特性を確保できる。また、通常時に発光させる第１発光部の仕様は維持したまま、緊急時に発光させる第２発光部のみの発光効率を向上させればよいので、通常発光のための構成を煩雑化させずに、コストアップを抑制しつつ電池の寿命を長くすることが可能となる。
【００２５】
本実施の形態に係る照明装置の具体的な構成について、以下で詳細に説明する。
【００２６】
［２．照明装置の具体的機能構成］
図２は、実施の形態１に係る照明装置１０Ａの機能を示す具体的なブロック図である。同図に示された照明装置１０Ａは、給電部１１と、点灯制御部１２Ａと、発光部１３Ａと、停電検知部１４と、電池１５と、人感センサ１６と、煙センサ１７と、振動センサ１８とを備える。以下、照明装置１０Ａが有する構成要素のうち、照明装置１０の構成要素と同じ符号が付されたものは、説明を省略する。
【００２７】
点灯制御部１２Ａは、発光部１３Ａを点灯させるための電源回路であり、通常点灯回路１２１と、非常点灯回路１２２とを備える。点灯制御部１２Ａは、給電部１１、停電検知部１４、発光部１３、電池１５、人感センサ１６、煙センサ１７及び振動センサ１８に接続されている。通常点灯回路１２１は、給電部１１から供給された電力を必要に応じて発光部１３Ａが有するＬＥＤモジュール１３１に供給する。一方、非常点灯回路１２２は、電池１５から供給された電力を必要に応じて発光部１３Ａが有するＬＥＤモジュール１３２に供給する。
【００２８】
発光部１３Ａは、点灯制御部１２Ａに電気的に接続されており、点灯制御部１２Ａから供給される電力により発光する。発光部１３Ａは、ＬＥＤモジュール１３１とＬＥＤモジュール１３２とを備える。ＬＥＤモジュール１３１は、発光部１３の第１発光部に相当し、例えば、直列接続された複数のＬＥＤ素子で構成されている。また、ＬＥＤモジュール１３２は、発光部１３の第２発光部に相当し、例えば、１以上のＬＥＤ素子で構成されている。ここで、ＬＥＤモジュール１３２の発光効率は、ＬＥＤモジュール１３１の発光効率よりも高い。また、本実施の形態では、ＬＥＤモジュール１３１とＬＥＤモジュール１３２とは、別々のモジュールである。
【００２９】
点灯制御部１２Ａは、停電検知部１４からの停電検知信号を受けた場合、通常点灯回路１２１により発光部１３ＡのＬＥＤモジュール１３１を消光させ、かつ、非常点灯回路１２２によりＬＥＤモジュール１３２を電池１５からの電力供給により発光させる。
【００３０】
人感センサ１６は、所定の検知範囲における人を検知する検出器である。具体的には、人感センサ１６は、例えば、パッシブ型のセンサであって、その検知範囲にいる人から放出される赤外線（温度変化）を検知する。すなわち、人感センサ１６は、その検知範囲にある熱を放出する物体であれば人以外の物でも検知する。人感センサ１６は、人を検知すると、人検知信号を点灯制御部１２Ａに出力する。点灯制御部１２Ａは、例えば、人感センサ１６から人検知信号を受けている場合には、発光部１３Ａを発光させ、人感センサ１６から所定の期間、人検知信号を受けない場合には、発光部１３Ａを消光させる。これにより、緊急時であっても、照明装置１０Ａの照明光が到達する範囲に人がいない場合には、照明装置１０Ａを点灯する必要がない。よって、人感センサ１６により、少なくとも緊急時において、照明装置１０Ａが省電力化されるので、電池１５の電力供給寿命を長くすることが可能となる。なお、人感センサ１６は、超音波または可視光などを用いて人を検知してもよい。
【００３１】
煙センサ１７は、煙を検知する検出器であり、例えば、煙による空気の電離状態の変化に応じてその煙を検知するイオン化式のセンサ、または、煙による光の乱反射または遮光によってその煙を検知する光電式のセンサである。なお、煙センサ１７、これら以外の方式で煙を検知してもよい。煙センサ１７は、例えば、煙を検知している場合には、煙検知信号を点灯制御部１２Ａに出力する。点灯制御部１２Ａは、煙センサ１７から煙検知信号を受けている場合には、非常点灯回路１２２によりＬＥＤモジュール１３２を電池１５からの電力供給により発光させる。これにより、停電が発生しない場合であっても、煙を検知した場合には発光モードが変わるので、人の緊急事態の認識度を高めることができる。よって、災害を未然に防止、または、災害被害を最小限とすることが可能となる。
【００３２】
振動センサ１８は、揺れを検知する検出器であり、例えば、静電容量式、渦電流方式、または圧電効果などによって、揺れを検知する。振動センサ１８は、例えば、揺れを検知している場合には、揺れ検知信号を点灯制御部１２Ａに出力する。点灯制御部１２Ａは、振動センサ１８から揺れ検知信号を受けている場合には、非常点灯回路１２２によりＬＥＤモジュール１３２を電池１５からの電力供給により発光させる。これにより、停電が発生しない場合であっても、揺れを検知した場合には発光モードが変わるので、人の緊急事態の認識度を高めることができる。よって、災害を未然に防止、または、災害被害を最小限とすることが可能となる。
【００３３】
なお、人感センサ１６、煙センサ１７及び振動センサ１８は、電池１５からの電力供給を受けることにより、検知可能な状態で待機する。
【００３４】
上述した照明装置１０Ａの構成により、緊急時に商用電源２０から電池１５へ電源が切り替わっても、電池の負荷を低減しつつ安全性確保及び異常通報に必要な発光特性を確保できる。上記の安全性確保及び異常通報に必要な発光特性とは、例えば、通常時の発光より高輝度を有する発光、または、通常時の発光より高発光効率を有する発光、または、通常時の発光よりも薄明視レベルの視環境において人間の目に明るく感じさせることができる発光などが例示される。
【００３５】
緊急時、異常時には、周囲の照明の電源が停止し、薄暗い視環境になっているケースが想定される。その場合に点灯させる緊急用照明に求められる特性として、薄暗い環境でも効率よく人間の目に明るく感じさせることができるという特性が挙げられる。
【００３６】
ここで、上記の「薄明視レベルの視環境において、より人間の目に明るく感じる発光」について、２種類の比視感度曲線を使い、以下のように定義する。
【００３７】
比視感度とは、人の目が光の波長ごとの明るさを感じる強さを数値で表したものであり、比視感度曲線とは、人の目が最大感度となる波長の明るさを感じる強さを１として、他の波長の明るさを感じる度合いをその比となるよう、１以下の数で表した曲線である。
【００３８】
図３は、２種類の比視感度曲線を表すグラフである。第１の比視感度曲線Ｖ１（λ）及び第２の比視感度曲線Ｖ２（λ）は、互いに異なる環境（明るさ）に順応したときの曲線である。例えば、明るい所では５５５ｎｍ付近の光を最も強く感じ、暗いところでは５０７ｎｍ付近の光を最も強く感じる。
【００３９】
通常用いられる光束ΦＰは、以下の式１で定義される。
ΦＰ=Ｋｓ×∫Ｖ１（λ）×Ｐ（λ）ｄλ        （式１）
【００４０】
ここで、Ｋｓ=６８３（ｌｍ／Ｗ）、Ｖ１（λ）は図３に示された明所視標準比視感度曲線、Ｐ（λ）は対象となる光源の分光分布である。また、波長λの積分範囲は３８０ｎｍ〜７８０ｎｍとする。
【００４１】
その上で、暗所視標準比視感度Ｖ２（λ）を用いて、以下のように暗所視光束ΦＳを以下の式２のように定義する。
ΦＳ=Ｋｓ×∫Ｖ２（λ）×Ｐ（λ）ｄλ        （式２）
【００４２】
ここで、Ｋｓ=１７００（ｌｍ／Ｗ）、Ｖ２（λ）は図３に示された暗所視標準比視感度曲線、Ｐ（λ）は対象となる光源の分光分布である。また、波長λの積分範囲は３８０ｎｍ〜７８０ｎｍとする。
【００４３】
上記のΦＰおよびΦＳを用いて、ＳＰレシオを（ΦＳ／ΦＰ）と定義する。この数値が大きいほど、通常の光束に比較して、暗所視標準比視感度Ｖ２（λ）を用いたΦＳが大きいことがいえる。このＳＰレシオを「薄明視レベルの視環境において、より人間の目に明るく感じる発光」を表す指標とする。つまり、ＳＰレシオが大きいほど、薄明視レベルでより人間の目に明るく感じる。
【００４４】
また、通常時に発光させるＬＥＤモジュール１３１の仕様は維持したまま、緊急時に発光させるＬＥＤモジュール１３２のみの発光効率（ｌｍ／Ｗ）を向上させればよいので、コストアップを抑制しつつ電池の寿命を長くすることが可能となる。さらに、通常時に発光させるＬＥＤモジュール１３１と、緊急時に発光させるＬＥＤモジュール１３２とは、別々のモジュールであるので、例えば、照明装置１０Ａ内で、ＬＥＤモジュール１３１及び１３２を離間配置することが可能となる。これにより、緊急時と通常時とで発光位置を異ならせることが可能となるので、人の緊急時の認識度が高まり、安全性確保機能及び異常通報機能を高めることが可能となる。
【００４５】
なお、本実施の形態に係る照明装置１０Ａにおいて、ＬＥＤモジュール１３２におけるＬＥＤ素子の直列接続数は、ＬＥＤモジュール１３１におけるＬＥＤ素子の直列接続数より少ない。これにより、通常時に比べて、緊急時における消費電力を低減させることが可能となる。よって、電池１５の電力供給寿命を長くすることが可能となる。
【００４６】
［３．照明装置の構成例］
以下、照明装置１０Ａの構成例について説明する。
【００４７】
図４Ａは、実施の形態１に係る照明装置１０Ａの構成の第一例を示す外観図である。図４Ａに示すように、第一例の照明装置１０Ａは、ＬＥＤモジュール１３１及び１３２と、本体部１３３と、アダプタ１３４と、口金１３５と、前面カバー１３６とを備える。
【００４８】
図２のブロック図に示された構成要素のうち、給電部１１は口金１３５に相当し、点灯制御部１２Ａ、停電検知部１４、電池１５、人感センサ１６、煙センサ１７、及び振動センサ１８は、本体部１３３またはアダプタ１３４に内蔵されている。
【００４９】
ＬＥＤモジュール１３１は、筒状筐体を有する本体部１３３の前面開口部に配置され、通常時には、外部の商用電源２０から口金１３５を経由して供給された電力により発光する。
【００５０】
ＬＥＤモジュール１３２は、本体部１３３と口金１３５との間に設けられたアダプタ１３４の前面外周部に円環状に配置され、緊急時には、電池１５から供給された電力により発光する。
【００５１】
ＬＥＤモジュール１３１から出射した光は、例えば、本体部１３３から前面カバー１３６を経由して前方（図４Ａでは下方）へ配光される。一方、ＬＥＤモジュール１３２から出射した光は、例えば、円環状に斜め前方（図４Ａでは斜め下方）へ配置される。
【００５２】
上記構成によれば、緊急時と通常時とで発光位置及び配光特性などを異ならせることが可能となるので、人の緊急時の認識度が高まり、安全性確保機能及び異常通報機能を高めることが可能となる。
【００５３】
また、図４Ｂは、実施の形態１に係る照明装置１０Ａの構成の第二例を示す外観図である。図４Ｂに示すように、第二例の照明装置１０Ａは、ＬＥＤモジュール１３１及び１３２と、本体部１３３と、口金１３５と、前面カバー１３６と、支持板１３７とを備える。
【００５４】
図２のブロック図に示された構成要素のうち、給電部１１は口金１３５に相当し、点灯制御部１２Ａ、停電検知部１４、電池１５、人感センサ１６、煙センサ１７、及び振動センサ１８は、本体部１３３または支持板１３７に内蔵されている。
【００５５】
ＬＥＤモジュール１３１は、筒状筐体を有する本体部１３３の前面開口部に配置され、通常時には、外部の商用電源２０から口金１３５を経由して供給された電力により発光する。
【００５６】
ＬＥＤモジュール１３２は、本体部１３３の前面開口部の外周に設けられた支持板１３７の前面に円環状に配置され、緊急時には、電池１５から供給された電力により発光する。
【００５７】
ＬＥＤモジュール１３１から出射した光は、例えば、本体部１３３から前面カバー１３６を経由して前方（図４Ｂでは下方）へ配光される。一方、ＬＥＤモジュール１３２から出射した光は、例えば、円環状に前方（図４Ｂでは下方）へ配置される。
【００５８】
上記構成によれば、緊急時と通常時とで発光位置及び配光特性などを異ならせることが可能となるので、人の緊急時の認識度が高まり、安全性確保機能及び異常通報機能を高めることが可能となる。
【００５９】
［４．発光部の構成例］
なお、ＬＥＤモジュール１３２の平均演色評価数Ｒａ２は、ＬＥＤモジュール１３１の平均演色評価数Ｒａ１よりも小さくてもよい。
【００６０】
図５は、ＬＥＤモジュールの平均演色評価数Ｒａと光束との関係を表すグラフである。図５における縦軸の相対光束（％）は、平均演色評価数Ｒａが８４であるときの光束を１００％として規格化している。同図に示されるように、平均演色評価数Ｒａが小さいほど、相対光束は大きくなる。これより、ＬＥＤモジュール１３２の平均演色評価数Ｒａ２を、ＬＥＤモジュール１３１の平均演色評価数Ｒａ１より小さくすることにより、緊急時における光束を大きくすることができる。つまり、ＬＥＤモジュール１３２の発光効率を、ＬＥＤモジュール１３１の発光効率より高くする。これにより、緊急時における輝度及び視感度などの発光特性を高めることが可能となる。
【００６１】
また、ＬＥＤモジュール１３２の発光色と、ＬＥＤモジュール１３１の発光色とを異ならせてもよい。例えば、ＬＥＤモジュール１３１の発光色を白色とし、ＬＥＤモジュール１３２の発光色を緑色とする。これにより、緊急時における人の認識度及び視感度などの発光特性を高めることが可能となる。
【００６２】
また、ＬＥＤモジュール１３２の色温度は、ＬＥＤモジュール１３１の色温度よりも高くてもよい。例えば、ＬＥＤモジュール１３１の発光色を電球色とし、ＬＥＤモジュール１３２の発光色を蛍光色とする。これにより、緊急時における人の認識度及び視感度などの発光特性を高めることが可能となる。一般的には、色温度が高いほど、前述のＳＰレシオが高くなり、薄明視の視環境で人間の目に明るく感じさせることが可能である。
【００６３】
また、ＬＥＤモジュール１３１の発光色のＳＰレシオ（ＳＰ１）が２より小さく、ＬＥＤモジュール１３２の発光色のＳＰレシオ（ＳＰ２）が２．２より大きくてもよい。
【００６４】
［５．照明装置の構成の変形例］
なお、本実施の形態に係る照明装置は、緊急時に、例えば、照明器具のソケットなどから外して、単独で使用することが可能である。
【００６５】
図６は、実施の形態１の変形例１に係る照明装置１０Ｂの外観図である。本変形例に係る照明装置１０Ｂは、上述の照明装置１０Ａの機能構成を備えるとともに、グローブ３０３、筐体３０１、給電部３０２、および複数の突起３０４とを備えた電球形ＬＥＤランプとして構成されている。
【００６６】
筐体３０１は、略筒状に形成され、上述の点灯制御部１２Ａ、停電検知部１４、電池１５、人感センサ１６、煙センサ１７、及び振動センサ１８は、筐体３０１の表面または内部に設けられている。
【００６７】
グローブ３０３は、開口部を有する中空の略半球状に形成された、ＬＥＤモジュール１３１及び１３２を覆う透光性カバーである。このグローブ３０３は、グローブ３０３の開口部と筐体３０１の開口部とが当接するように、筐体３０１に取り付けられている。発光部１３Ａから放出される光は、このグローブ３０３を介して照明装置１０Ｂの外部に放たれる。
【００６８】
給電部３０２は、口金として構成され、筐体３０１のグローブ３０３と反対側の開口部から露出するように、その筐体３０１に取り付けられている。
【００６９】
複数の突起３０４はそれぞれ略棒状に形成されている。これらの突起３０４の一端（基端）は、筐体３０１に回動自在に取り付けられている。
【００７０】
以上のように照明装置１０Ｂが構成されているため、通常時には、照明装置１０Ｂは、給電部３０２がソケットに嵌め込まれて使用される。また、停電時などの防災時には、照明装置１０Ｂをソケットから取り外して、ランタンとして使用することができる。
【００７１】
つまり、通常時には、複数の突起３０４のそれぞれの基端と反対側の端（先端）をグローブ３０３側に寄せ、複数の突起３０４のそれぞれを筐体３０１の側面に沿わせる。これにより、複数の突起３０４に邪魔されることなく照明装置１０Ｂをソケットに取り付けることができる。
【００７２】
一方、防災時には、照明装置１０Ｂをソケットから取り外し、複数の突起３０４のそれぞれの先端を給電部３０２側に寄せる。そして、それらの突起３０４の先端を、例えばテーブル、床、または地面などに当接させれば、グローブ３０３を上に向けた状態で照明装置１０Ｂを安定して立てることができる。照明装置１０Ｂは、電池１５からの電力によっても点灯するため、床などに立てられた状態で点灯することができる。したがって、照明装置１０Ｂをランタンとして使用することができる。
【００７３】
なお、突起３０４の形状は、図６で示したような棒状に限られない。また、突起３０４は、筐体３０１以外の構成要素と接続されていてもよい。突起３０４の形状及び接続先は、照明装置１０Ｂの形状に応じて選択される。
【００７４】
図７Ａ〜図７Ｃは、実施の形態１の変形例２に係る照明装置の外観図である。
【００７５】
照明装置１０Ｃは、上述の照明装置１０Ｂと同様に、照明装置１０Ａとしての機能を備えるとともに、グローブ３０３、第１筐体３０１ａ、第２筐体３０１ｂ、第３筐体３０１ｃ、給電部３０２、及び引掛け部３０５を備えた電球形ＬＥＤランプとして構成されている。
【００７６】
また、照明装置１０Ｃの筐体は、第１筐体３０１ａと第２筐体３０１ｂと第３筐体３０１ｃとからなり、伸縮自在に構成されている。
【００７７】
第１筐体３０１ａは、略筒状に形成され、上述の点灯制御部１２Ａ、停電検知部１４、電池１５、人感センサ１６、煙センサ１７、及び振動センサ１８を囲う。グローブ３０３は、グローブ３０３の開口部と第１筐体３０１ａの開口部とが当接するように、第１筐体３０１ａに取り付けられている。
【００７８】
第２筐体３０１ｂ及び第３筐体３０１ｃも、それぞれ略筒状に形成されている。第２筐体３０１ｂの一方の開口部には、第３筐体３０１ｃの一方の開口部が接続されている。第２筐体３０１ｂの他方の開口部には、給電部３０２が露出するように取り付けられている。
【００７９】
このような第２筐体３０１ｂは、図７Ａに示すように、第３筐体３０１ｃが第１筐体３０１ａの内部に挿入されて、第２筐体３０１ｂの開口部が、第１筐体３０１ａの開口部に当接するように、第１筐体３０１ａに取り付けられる。
【００８０】
また、第２筐体３０１ｂは、第１筐体３０１ａに対して移動可能なように取り付けられている。つまり、第２筐体３０１ｂは、図７Ｂに示すように、第１筐体３０１ａから引き離し可能であって、引き離されたときには、第３筐体３０１ｃが、露出した状態で、第１筐体３０１ａと第２筐体３０１ｂとをつなぐ。このように、照明装置１０Ｃの筐体は伸縮自在に構成されている。
【００８１】
また、引掛け部３０５は、略円弧状に形成され、その両端が第２筐体３０１ｂに回動自在に取り付けられている。
【００８２】
以上のように照明装置１０Ｃが構成されているため、通常時、つまり、壁スイッチの操作に応じて照明装置１０Ｃを点灯または消灯させるときには、照明装置１０Ｃは、給電部３０２がソケットに嵌め込まれて使用される。また、停電時などの防災時には、照明装置１０Ｃをソケットから取り外して、懐中電灯またはランタンとして使用することができる。
【００８３】
つまり、通常時には、筐体を縮めた状態で引掛け部３０５をグローブ３０３側に寄せる。これにより、引掛け部３０５に邪魔されることなく照明装置１０Ｃをソケットに取り付けることができる。
【００８４】
一方、防災時には、照明装置１０Ｃをソケットから取り外し、第２筐体３０１ｂ及び第３筐体３０１ｃを引き出して筐体を延ばす。これにより、筐体が握りやすくなるため、照明装置１０Ｃを懐中電灯として用いることができる。または、照明装置１０Ｃをソケットから取り外し、引掛け部３０５を給電部３０２側に寄せる。これにより、引掛け部３０５を、例えば、フックなどに引掛けて照明装置１０Ｃを吊るすことができ、照明装置１０Ｃをランタンとして使用することができる。
【００８５】
（実施の形態２）
実施の形態１に係る照明装置は、通常時に発光させる発光素子と緊急時に発光させる発光素子とが別個に設けられた構成を有していたが、本実施の形態に係る照明装置は、通常時に発光させる発光素子の一部を緊急時に発光させる構成を有する。以下、実施の形態２に係る照明装置について、実施の形態１に係る照明装置と同じ構成については説明を省略し、異なる構成を中心に説明する。
【００８６】
［６．照明装置の具体的機能構成］
図８は、実施の形態２に係る照明装置１０Ｄの機能を示す具体的なブロック図である。同図に示された照明装置１０Ｄは、給電部１１と、点灯制御部１２Ｄと、発光部１３Ｄと、停電検知部１４と、電池１５と、人感センサ１６と、煙センサ１７と、振動センサ１８とを備える。
【００８７】
点灯制御部１２Ｄは、発光部１３Ｄを点灯させるための電源回路であり、通常点灯回路１２１と、非常点灯回路１２２と、スイッチ素子１２３とを備える。点灯制御部１２Ｄは、給電部１１、停電検知部１４、発光部１３、電池１５、人感センサ１６、煙センサ１７及び振動センサ１８に接続されている。通常点灯回路１２１は、給電部１１から供給された電力を必要に応じて発光部１３Ｄが有するＬＥＤモジュール１３１及び１３２に供給する。一方、非常点灯回路１２２は、電池１５から供給された電力を必要に応じて発光部１３Ｄが有するＬＥＤモジュール１３２に供給する。
【００８８】
発光部１３Ｄは、点灯制御部１２Ｄに電気的に接続されており、点灯制御部１２Ｄから供給される電力により発光する。発光部１３Ｄは、ＬＥＤモジュール１３１とＬＥＤモジュール１３２とを備える。ＬＥＤモジュール１３１は、発光部１３の第１発光部に相当し、例えば、直列接続された複数のＬＥＤ素子で構成されている。また、ＬＥＤモジュール１３２は、発光部１３の第２発光部に相当し、例えば、１以上のＬＥＤ素子で構成されている。ここで、実施の形態１と同様に、ＬＥＤモジュール１３２は、ＬＥＤモジュール１３１よりも発光効率が高い。
【００８９】
点灯制御部１２Ｄは、停電検知部１４からの停電検知信号を受けた場合、スイッチ素子１２３を導通状態にし、非常点灯回路１２２によりＬＥＤモジュール１３２を電池１５からの電力供給により発光させる。
【００９０】
上述した照明装置１０Ｄの構成により、緊急時に商用電源２０から電池１５へ電源が切り替わっても、電池の負荷を低減しつつ安全性確保及び異常通報に必要な発光特性を確保できる。上記の安全性確保及び異常通報に必要な発光特性とは、例えば、通常時の発光より高輝度を有する発光、または、通常時の発光より高視感度を有する発光、または、通常時の発光よりも薄明視レベルの視環境において人間の目に明るく感じさせることができる発光などが例示される。また、通常時に発光させるＬＥＤモジュール１３１の仕様は維持したまま、緊急時に発光させるＬＥＤモジュール１３２のみの発光効率を向上させればよいので、コストアップを抑制しつつ電池の寿命を長くすることが可能となる。また、通常時に発光させるＬＥＤモジュール１３１及び１３２のうち、ＬＥＤモジュール１３２を緊急時に発光させるので、ＬＥＤ素子数を低減でき、発光部１３Ｄの構成を簡素化できる。また、緊急時に発光させるＬＥＤ素子の直列接続数は、通常時に発光させるＬＥＤ素子の直列接続数より少ない。これにより、通常時に比べて、緊急時における消費電力を低減させることが可能となる。よって、電池１５の電力供給寿命を長くすることが可能となる。
【００９１】
［７．照明装置の構成例］
以下、実施の形態２に係る照明装置の構成例について説明する。
【００９２】
図９は、実施の形態２に係る照明装置１０Ｅの構成の一例を示す外観図である。図９に示すように、照明装置１０Ｅは、ＬＥＤモジュール１３１及び１３２と、前面カバー１０１と、本体部１０２と、口金１０３と、手動スイッチ１０４とを備える。
【００９３】
本体部１０２は、図８に示された点灯制御部１２Ｄ、停電検知部１４、電池１５、人感センサ１６、煙センサ１７、及び振動センサ１８を収納する筒状の本体ケースである。
【００９４】
口金１０３は、本体部１０２の後端開口部に接続された給電部１１である。
【００９５】
ＬＥＤモジュール１３１及び１３２は、筒状筐体を有する本体部１０２の前面開口部付近に配置されている。ＬＥＤモジュール１３１のＬＥＤ素子は、例えば、上記前面開口部に、円環状に配置されている。また、ＬＥＤモジュール１３２のＬＥＤ素子は、例えば、上記前面開口部であって、ＬＥＤモジュール１３１のＬＥＤ素子の内周側に円環状に配置されている。
【００９６】
前面カバー１０１は、本体部１０２の前面開口部に設けられ、前面部１０１ａ及び側面部１０１ｂを有する。前面部１０１ａは、例えば、ＬＥＤモジュール１３１及び１３２から出射された光を本体部１０２の前方側に出射させるための透光性の円板状部材であり、側面部１０１ｂは、例えば、ＬＥＤモジュール１３１及び１３２から出射された光を本体部１０２の側方側に出射させるための透光性の筒状部材である。
【００９７】
上記構成を有する照明装置１０Ｅにおいて、通常時には、ＬＥＤモジュール１３１及び１３２が、外部の商用電源２０から口金１０３を経由して供給された電力により発光する。一方、緊急時には、ＬＥＤモジュール１３１及び１３２のうちＬＥＤモジュール１３２のみが、電池１５から供給された電力により発光する。
【００９８】
手動スイッチ１０４は、複数の発光モードのうちの１つを選択するための操作ボタン（ボタン１〜３）が配置されている。例えば、ボタン１を押すと、通常時の発光モードが選択され、ＬＥＤモジュール１３１及び１３２の発光により、例えば、照明装置１０Ｅは電球色で発光する。また、ボタン２を押すと、緊急時の発光モードが選択され、ＬＥＤモジュール１３２の発光により、例えば、照明装置１０Ｅは赤色で発光する。なお、ボタン２が押された場合には、点滅モードで赤色発光するようにしてもよい。また、ボタン３を押すと、例えば、照明装置１０Ｅは消光する。
【００９９】
また、前面カバー１０１が、前面部１０１ａ及び側面部１０１ｂを有するので、本体部１０２の前方及び側方に光を出射できる。これと、ＬＥＤモジュール１３１及び１３２の同心円状の円環配置とにより、ＬＥＤモジュール１３１及び１３２が発光している通常時と、ＬＥＤモジュール１３２のみが発光している緊急時とで、配光性を大きく異ならせることが可能となる。
【０１００】
上記構成によれば、緊急時と通常時とで発光色、発光モード及び配光特性などを異ならせることが可能となるので、人の緊急時の認識度が高まり、安全性確保機能及び異常通報機能を高めることが可能となる。
【０１０１】
［８．照明装置の構成の変形例］
以下、実施の形態２の変形例に係る照明装置について説明する。
【０１０２】
図１０は、実施の形態２の変形例に係る照明装置１０Ｆの構成の一例を示す外観図である。図１０に示すように、照明装置１０Ｆは、ＬＥＤモジュール１３１及び１３２と、分光カットフィルタ２０１と、透光性カバー２０２と、本体部２０３と、口金２０４と、調整レバー２０５とを備える。
【０１０３】
本体部２０３は、図８に示された点灯制御部１２Ｄ、停電検知部１４、電池１５、人感センサ１６、煙センサ１７、及び振動センサ１８を収納する筒状の本体ケースである。
【０１０４】
口金２０４は、本体部２０３の後端開口部に接続された給電部１１である。
【０１０５】
ＬＥＤモジュール１３１及び１３２は、筒状筐体を有する本体部２０３の前面開口部付近に配置されている。ＬＥＤモジュール１３１のＬＥＤ素子は、例えば、上記前面開口部に、円環状に配置されている。また、ＬＥＤモジュール１３２のＬＥＤ素子は、例えば、上記前面開口部であって、ＬＥＤモジュール１３１のＬＥＤ素子の内周側に円環状に配置されている。
【０１０６】
透光性カバー２０２は、分光カットフィルタ２０１と本体部２０３との間に、本体部２０３の前面開口部を覆うように設けられている。
【０１０７】
調整レバー２０５は、緊急時における照明装置１０Ｆの明るさを調整するためのレバーである。照明装置１０Ｆを照明器具のソケットなどから取り外して単独で使用する場合に、調整レバー２０５による明るさの調整が効果的となる。
【０１０８】
分光カットフィルタ２０１は、本体部２０３の前面開口部を覆うように、本体部２０３及び透光性カバー２０２に対して着脱可能に設けられ、所定の波長領域を透過させないフィルタ部材である。
【０１０９】
図１１は、実施の形態２の変形例に係る照明装置の分光特性を表すグラフである。同図に示された分光特性において、分光カットフィルタを透過させた光は、分光カットフィルタを透過しない光に対して、波長領域４００ｎｍ〜６５０ｎｍにおけるエネルギーが選択的に減少している。これにより、分光カットフィルタを透過させた光は、分光カットフィルタを透過しない光に対して光束が劣るが、演色性能に優れる。
【０１１０】
上記構成を有する照明装置１０Ｆにおいて、通常時には、ＬＥＤモジュール１３１及び１３２が、外部の商用電源２０から口金１０３を経由して供給された電力により発光する。一方、緊急時には、分光カットフィルタ２０１が取り外された状態で、ＬＥＤモジュール１３１及び１３２のうちＬＥＤモジュール１３２のみが電池１５からの電力供給により発光する。
【０１１１】
上記構成によれば、緊急時と通常時とで発光輝度及び演色性能などを異ならせることが可能となるので、人の緊急時の認識度が高まり、安全性確保機能及び異常通報機能を高めることが可能となる。
【０１１２】
また、分光カットフィルタ２０１と本体部２０３との間に、透光性カバー２０２が設けられているので、緊急時に分光カットフィルタ２０１を取り外した場合に、ＬＥＤモジュール１３１及び１３２を保護することができ、さらに、使用者が感電することを防止できる。
【０１１３】
（効果など）
以上のように、実施の形態１に係る照明装置１０は、外部の商用電源２０から電力を供給される給電部１１と、電池１５と、商用電源２０の停電を検知する停電検知部１４と、ＬＥＤモジュール１３１、及び、ＬＥＤモジュール１３１よりも発光効率の高いＬＥＤモジュール１３２する発光部１３と、停電検知部１４が停電を検知していない場合に、給電部１１からの電力供給により少なくともＬＥＤモジュール１３１を発光させ、停電検知部１４が停電を検知した場合に、ＬＥＤモジュール１３１を消光させ、かつ、ＬＥＤモジュール１３２を電池１５からの電力供給により発光させる点灯制御部１２とを備える。
【０１１４】
これにより、緊急時に商用電源２０から電池１５へ電源が切り替わっても、電池の負荷を低減しつつ安全性確保及び異常通報に必要な発光特性を確保できる。また、通常時に発光させるＬＥＤモジュール１３１の仕様は維持したまま、緊急時に発光させるＬＥＤモジュール１３２のみの発光効率を向上させればよいので、通常発光のための構成を煩雑化させずに、コストアップを抑制しつつ電池の寿命を長くすることが可能となる。
【０１１５】
また、実施の形態１に係る照明装置１０Ａにおいて、点灯制御部１２Ａは、停電検知部１４が停電を検知していない場合に、給電部１１からの電力供給によりＬＥＤモジュール１３１を発光させ、かつ、ＬＥＤモジュール１３２を消光させてもよい。
【０１１６】
これにより、通常時に発光させるＬＥＤモジュール１３１と、緊急時に発光させるＬＥＤモジュール１３２とは、別々のモジュールであるので、例えば、照明装置１０Ａ内で、ＬＥＤモジュール１３１及び１３２を離間配置することが可能となる。これにより、緊急時と通常時とで発光位置を異ならせることが可能となるので、人の緊急時の認識度が高まり、安全性確保機能及び異常通報機能を高めることが可能となる。
【０１１７】
また、実施の形態１に係る照明装置１０Ａにおいて、発光部１３Ａは、直列に接続された複数のＬＥＤ素子からなるＬＥＤモジュール１３１、及び、直列に接続された１以上のＬＥＤ素子からなるＬＥＤモジュール１３２を有し、ＬＥＤモジュール１３２のＬＥＤ素子の直列接続数は、ＬＥＤモジュール１３１のＬＥＤ素子の直列接続数より少なくてもよい。
【０１１８】
これにより、通常時に比べて、緊急時における消費電力を低減させることが可能となる。よって、電池１５の電力供給寿命を長くすることが可能となる。
【０１１９】
また、実施の形態２に係る照明装置１０Ｄにおいて、点灯制御部１２Ｄは、停電検知部１４が停電を検知していない場合に、給電部１１からの電力供給によりＬＥＤモジュール１３１及び１３２を発光させてもよい。
【０１２０】
これにより、通常時に発光させるＬＥＤモジュール１３１及び１３２のうち、ＬＥＤモジュール１３２を緊急時に発光させるので、通常時及び緊急時で別々のＬＥＤモジュールを発光させる場合と比較して、ＬＥＤ素子数を低減でき、発光部１３Ｄの構成を簡素化できる。また、緊急時に発光させるＬＥＤ素子の直列接続数は、通常時に発光させるＬＥＤ素子の直列接続数より少なくなるので、通常時に比べて緊急時における消費電力を低減させることが可能となる。よって、電池１５の電力供給寿命を長くすることが可能となる。
【０１２１】
また、ＬＥＤモジュール１３２の発光色は、ＬＥＤモジュール１３１の発光色と異なってもよい。
【０１２２】
これにより、緊急時における人の認識度及び視感度などの発光特性を高めることが可能となる。
【０１２３】
また、ＬＥＤモジュール１３２の色温度は、ＬＥＤモジュール１３１の色温度よりも高くてもよい。
【０１２４】
これにより、緊急時における人の認識度及び視感度などの発光特性を高めることが可能となる。
【０１２５】
また、ＬＥＤモジュール１３２の平均演色評価数は、ＬＥＤモジュール１３１の平均演色評価数よりも小さくてもよい。
【０１２６】
これにより、緊急時における光束を大きくすることができる。つまり、ＬＥＤモジュール１３２の発光効率を、ＬＥＤモジュール１３１の発光効率より高くすることが可能となる。これにより、緊急時における輝度及び視感度などの発光特性を高めることが可能となる。
【０１２７】
また、実施の形態２に係る照明装置１０Ｅにおいて、電池１５を収納する筒状の本体部１０２と、本体部１０２の後端開口部に接続された口金１０３と、本体部１０２の前面開口部に設けられた前面カバー１０１とを備え、ＬＥＤモジュール１３１及び１３２は、前面開口部付近に設けられ、前面カバー１０１は、ＬＥＤモジュール１３１及び１３２から出射された光を本体部１０２の前方側に出射させるための透光性の前面部１０１ａと、ＬＥＤモジュール１３１及び１３２から出射された光を本体部１０２の側方側に出射させるための透光性の側面部１０１ｂとを有してもよい。
【０１２８】
これにより、本体部１０２の前方及び側方に光を出射できる。よって、ＬＥＤモジュール１３１及び１３２が発光している通常時と、ＬＥＤモジュール１３２のみが発光している緊急時とで、配光性を大きく異ならせることが可能となる。
【０１２９】
また、実施の形態２に係る照明装置１０Ｆにおいて、電池１５を収納する本体部２０３と、本体部２０３の後端開口部に接続された口金２０４と、本体部２０３の前面開口部を覆うように、本体部２０３に対して着脱可能に設けられた分光カットフィルタ２０１とを備え、ＬＥＤモジュール１３１及び１３２は、前面開口部付近に設けられ、点灯制御部１２Ｄは、停電検知部１４が停電を検知した場合に、分光カットフィルタ２０１が取り外された状態でＬＥＤモジュール１３１を消光させ、かつ、ＬＥＤモジュール１３２を電池１５からの電力供給により発光させてもよい。
【０１３０】
これにより、緊急時と通常時とで発光輝度及び演色性能などを異ならせることが可能となるので、人の緊急時の認識度が高まり、安全性確保機能及び異常通報機能を高めることが可能となる。
【０１３１】
また、実施の形態２に係る照明装置１０Ｆにおいて、さらに、分光カットフィルタ２０１と本体部２０３との間に、本体部２０３の前面開口部を覆うように設けられた透光性カバー２０２を備え、分光カットフィルタ２０１は、透光性カバー２０２に対して着脱可能に設けられてもよい。
【０１３２】
これにより、緊急時に分光カットフィルタ２０１を取り外した場合に、ＬＥＤモジュール１３１及び１３２を保護することができ、さらに、使用者が感電することを防止できる。
【０１３３】
また、さらに、煙を検知する煙センサ１７を備え、点灯制御部１２Ａは、煙センサ１７によって煙が検知された場合に、発光部１３Ａを点灯させてもよい。
【０１３４】
これにより、停電が発生しない場合であっても、煙を検知した場合には発光モードが変わるので、人の非常事態の認識度を高めることができる。よって、災害を未然に防止することが可能となる。
【０１３５】
また、さらに、揺れを検知する振動センサ１８を備え、点灯制御部１２Ａは、振動センサ１８によって揺れが検知された場合に、発光部１３Ａを点灯させてもよい。
【０１３６】
これにより、停電が発生しない場合であっても、揺れを検知した場合には発光モードが変わるので、人の非常事態の認識度を高めることができる。よって、災害を未然に防止することが可能となる。
【０１３７】
また、煙センサ１７または振動センサ１８は、電池１５から供給される電力に基づいて、検知可能な状態で待機してもよい。
【０１３８】
これにより、停電の有無にかかわらず、常に、煙または揺れを検知することが可能となる。
【０１３９】
（その他変形例など）
以上、本発明に係る照明装置について、実施の形態１〜２及びその変形例に基づいて説明したが、本発明は、これらの実施の形態及び変形例に限定されるものではない。
【０１４０】
例えば、実施の形態２に係る照明装置において、ＬＥＤモジュール１３２の平均演色評価数Ｒａ２を、ＬＥＤモジュール１３１の平均演色評価数Ｒａ１よりも小さくしてもよい。
【０１４１】
また、実施の形態２に係る照明装置において、ＬＥＤモジュール１３２の発光色とＬＥＤモジュール１３１の発光色とを異ならせてもよい。
【０１４２】
また、実施の形態２に係る照明装置において、ＬＥＤモジュール１３２の色温度を、ＬＥＤモジュール１３１の色温度よりも高くしてもよい。
【０１４３】
また、実施の形態２に係る照明装置において、ＬＥＤモジュール１３１の発光色のＳＰレシオが２より小さく、ＬＥＤモジュール１３２の発光色のＳＰレシオが２．２より大きくてもよい。
【０１４４】
これらにより、緊急時における人の認識度及び視感度などの発光特性を高めることが可能となる。
【０１４５】
また、実施の形態２に係る照明装置が、実施の形態１に係る照明装置１０Ｂが有する突起３０４を有してもよいし、また、実施の形態１に係る照明装置１０Ｃが有する引掛け部３０５を有してもよい。
【０１４６】
また、実施の形態１に係る照明装置が、実施の形態２に係る照明装置１０Ｅが有する前面カバーを有してもよいし、また、実施の形態２に係る照明装置１０Ｆが有する分光カットフィルタ２０１を有してもよい。
【０１４７】
その他、実施の形態１〜２及びその変形例に対して当業者が思いつく各種変形を施して得られる形態、または、本発明の趣旨を逸脱しない範囲で実施の形態１〜２及びその変形例における構成要素及び機能を任意に組み合わせることで実現される形態も本発明に含まれる。
【符号の説明】
【０１４８】
１０、１０Ａ、１０Ｂ、１０Ｃ、１０Ｄ、１０Ｅ、１０Ｆ    照明装置
１１、３０２    給電部
１２、１２Ａ、１２Ｄ    点灯制御部
１３、１３Ａ、１３Ｄ    発光部
１４    停電検知部
１５    電池
１６    人感センサ
１７    煙センサ
１８    振動センサ
２０    商用電源
１０１、１３６    前面カバー
１０１ａ    前面部
１０１ｂ    側面部
１３１    ＬＥＤモジュール（第１発光部）
１３２    ＬＥＤモジュール（第２発光部）
２０１    分光カットフィルタ
２０２    透光性カバー
【図１】
2016219389.tif 000003
【図２】
2016219389.tif 000004
【図３】
2016219389.tif 000005
【図４Ａ】
2016219389.tif 000006
【図４Ｂ】
2016219389.tif 000007
【図５】
2016219389.tif 000008
【図６】
2016219389.tif 000009
【図７Ａ】
2016219389.tif 000010
【図７Ｂ】
2016219389.tif 000011
【図７Ｃ】
2016219389.tif 000012
【図８】
2016219389.tif 000013
【図９】
2016219389.tif 000014
【図１０】
2016219389.tif 000015
【図１１】
2016219389.tif 000016